(57)【特許請求の範囲】
【請求項１】
身に付けるベルトに装着される吊り下げ保持具と、工具側に取り付けられ、吊り下げ保持具に着脱自在に掛止される係合具とを備えた工具吊り下げ構造であって、
吊り下げ保持具を、ベルトに装着される差し込み部と、差し込み部上端から外側に向かって延びる延長部と、この延長部に連続し下方に延びるとともに次第に狭まり係合具を下方に導く案内部と、この案内部下端に形成された開口部と、この開口部に連続し湾曲して形成された掛止部とを備えて構成するとともに、
係合具を、開口部を通過可能な短い寸法を有する短寸幅部とこの短寸幅部より長い寸法を有し開口部を通過できない長寸幅部とを有し、上記掛止部に上方から差し入れられて揺動自在に支持される断面非円形状係止部材と、掛止部の湾曲面より大きく形成されて係止部材に取り付けられ、掛止部に横方向で当接し係止部材が掛止部から脱落するのを阻止する鍔部とを備えて構成したことを特徴とする工具吊り下げ構造。
【請求項２】
係合具の鍔部を、掛止部の湾曲径より大径に形成して係止部材の両端に取り付け、一方の鍔部には、工具に取付具を介して取り付けられる取り付け部を形成したことを特徴とする請求項１に記載の工具吊り下げ構造。
【請求項３】
係止部材を、短軸部が掛止部の上部開口部を通過可能な短軸寸法を有し、長軸部が開口部より長寸の長軸寸法を有するとともに、長軸部両端が湾曲部に沿って変位する断面楕円状に形成したことを特徴とする請求項１または２に記載の工具吊り下げ構造。
【請求項４】
係止部材は、工具が自重により吊り下がった状態で長寸方向が掛止部の開口部から逸れた位置に配置されることを特徴とする請求項１ないし３のうちいずれか１に記載の工具吊り下げ構造。
【発明の詳細な説明】
【技術分野】
【０００１】
本発明は、工具吊り下げ構造に係り、特に、電動工具およびエアー工具を腰につけるベルトに吊り下げる工具吊り下げ構造に関するものである。
【背景技術】
【０００２】
従来、電動工具やコンプレッサに接続されたエアー工具等の工具を腰ベルトに装着して持ち運ぶには、電動工具側に設けられたフックをベルトと身体側との間に差し込んで運ぶようにしている。しかしながら、このような従来の吊り下げ構造では、単にベルトに上から差し込むだけなので前後方向の揺れや下からの外力によりフックがベルトから外れ、工具が落下する虞がある。このため、工具をより確実に保持する目的で、ベルトに工具頭部の外径より大きく設定され周方向寸法の異なる両Ｃ字状フックを、工具首部の寸法より大きい間隔を隔てて設けた工具ホルダが提案されている（特許文献１参照。）。
【特許文献１】特開平７−２９９７７２号公報（第３頁、図１）
【発明の開示】
【発明が解決しようとする課題】
【０００３】
しかしながら、上記従来の工具ホルダでは、工具頭部が比較的小さい金槌等の工具では、ベルトに吊り下げても作業の邪魔になりにくいものの、頭部の嵩が大きい携帯用の充電式電動工具（電動ドリルや電動ドライバ）では、ベルトに頭部があると作業の邪魔になるという問題がある。また、このような電動工具では握り部の下側に嵩張る充電部が設けられており、装着するには、一旦充電部を上方に持ち上げて頭部を周方向寸法の長いＣ字状フックに挿通させ、充電部を下方に押し下げる必要があり、装着および取り外しに難渋するという問題がある。また、電動工具を吊り下げた状態で外力が加わると、電動工具からベルトを介して直接身体に伝わるので、作業がしにくいという問題がある。
【０００４】
本発明は、上記課題を解決するためになされたもので、着脱が容易で、落下しにくく、しかも、外力を受けても直接身体に衝撃を与えることのない工具吊り下げ構造を提供することを目的とするものである。
【課題を解決するための手段】
【０００５】
本発明の請求項１に係る工具吊り下げ構造は、身に付けるベルトに装着される吊り下げ保持具と、工具側に取り付けられ、吊り下げ保持具に着脱自在に掛止される係合具とを備えた工具吊り下げ構造であって、吊り下げ保持具を、ベルトに装着される差し込み部と、差し込み部上端から外側に向かって延びる延長部と、この延長部に連続し下方に延びるとともに次第に狭まり係合具を下方に導く案内部と、この案内部下端に形成された開口部と、この開口部に連続し湾曲して形成された掛止部とを備えて構成するとともに、係合具を、開口部を通過可能な短い寸法を有する短寸幅部とこの短寸幅部より長い寸法を有し開口部を通過できない長寸幅部とを有し、上記掛止部に上方から差し入れられて揺動自在に支持される断面非円形状係止部材と、掛止部の湾曲面より大きく形成されて係止部材に取り付けられ、掛止部に横方向で当接し係止部材が掛止部から脱落するのを阻止する鍔部とを備えて構成したものである。
【０００６】
本発明の請求項１に係る工具吊り下げ構造では、身に付けるベルトに装着される吊り下げ保持具と、工具側に取り付けられ、吊り下げ保持具に着脱自在に掛止される係合具とを備えた工具吊り下げ構造であって、吊り下げ保持具を、ベルトに装着される差し込み部と、差し込み部上端から外側に向かって延びる延長部と、この延長部に連続し下方に延びるとともに次第に狭まり係合具を下方に導く案内部と、この案内部下端に形成された開口部と、この開口部に連続し湾曲して形成された掛止部とを備えて構成するとともに、係合具を、開口部を通過可能な短い寸法を有する短寸幅部とこの短寸幅部より長い寸法を有し開口部を通過できない長寸幅部とを有し、上記掛止部に上方から差し入れられて揺動自在に支持される断面非円形状係止部材と、掛止部の湾曲面より大きく形成されて係止部材に取り付けられ、掛止部に横方向で当接し係止部材が掛止部から脱落するのを阻止する鍔部とを備えて構成したことにより、工具側の係合具を案内部から開口部を通じて掛止部に差し入れると、揺動自在に支持され、湾曲面より大きい鍔部が掛止部に当接するので脱落することがない。このため、工具は外力を受けると、係止部材を中心に揺動して力が分散されるので、外力が直接身体に伝わることがない。係合具は開口部を通じて掛止部に着脱されるので、容易に装着および取り外しを行うことができる。また、係合具は、係止部材の短寸幅部を通じて開口部に出し入れするようになっているので、一旦、係止部材が掛止部に入ると、抜けにくい。さらに、案内部は上部が下部に対して広がっているので、係合具の係止部材を掛止部に装着しやすい。
【０００７】
また、請求項２に係る工具吊り下げ構造は、係合具の鍔部を、掛止部の湾曲径より大径に形成して係止部材の両端に取り付け、一方の鍔部には、工具に取付具を介して取り付けられる取り付け部を形成したものである。
【０００８】
請求項２に係る工具吊り下げ構造では、係合具の鍔部を、掛止部の湾曲径より大径に形成して係止部材の両端に取り付け、一方の鍔部には、工具に取付具を介して取り付けられる取り付け部を形成したことにより、係止部材を掛止部に差し入れると、鍔部が内外側から掛止部に向き合うので、係止部材の脱落が確実に防止される。また、係合具は、工具の所望の位置に取り付けることができるので、持ち運びし易い場所に取り付けることができ、工具の嵩張る部位をベルトから遠ざけることができ、持ち運びやすくなる。
【０００９】
請求項３に係る工具吊り下げ構造は、係止部材を、短軸部が掛止部の上部開口部を通過可能な短軸寸法を有し、長軸部が開口部より長寸の長軸寸法を有するとともに、長軸部両端が湾曲部に沿って変位する断面楕円状に形成したものである。
【００１０】
請求項３に係る工具吊り下げ構造では、係止部材を、短軸部が掛止部の上部開口部を通過可能な短軸寸法を有し、長軸部が開口部より長寸の長軸寸法を有するとともに、長軸部両端が湾曲部に沿って変位する断面楕円状に形成したことにより、係合具の係止部材の長軸部両端が曲面状に形成され、湾曲部に沿って変位するので、工具をがたつきなく滑らかに揺動させることができる。
【００１１】
請求項４に係る工具吊り下げ構造は、係止部材は、工具が自重により吊り下がった状態で長寸方向が掛止部の開口部から逸れた位置に配置されるようにしたものである。
【００１２】
請求項４に係る工具吊り下げ構造では、係止部材は、工具が自重により吊り下がった状態で長寸方向が掛止部の開口部から逸れた位置に配置されるようにしたことにより、静止状態で吊り下げられた工具に下方から外力がかかっても、係合具は吊り下げ保持具から外れることがない。
【発明の効果】
【００１３】
本発明に係る工具吊り下げ構造は、身に付けるベルトに装着される吊り下げ保持具と、工具側に取り付けられ、吊り下げ保持具に着脱自在に掛止される係合具とを備えた工具吊り下げ構造であって、吊り下げ保持具を、ベルトに装着される差し込み部と、差し込み部上端から外側に向かって延びる延長部と、この延長部に連続し下方に延びるとともに次第に狭まり係合具を下方に導く案内部と、この案内部下端に形成された開口部と、この開口部に連続し湾曲して形成された掛止部とを備えて構成するとともに、係合具を、開口部を通過可能な短い寸法を有する短寸幅部とこの短寸幅部より長い寸法を有し開口部を通過できない長寸幅部とを有し、上記掛止部に上方から差し入れられて揺動自在に支持される断面非円形状係止部材と、掛止部の湾曲面より大きく形成されて係止部材に取り付けられ、掛止部に横方向で当接し係止部材が掛止部から脱落するのを阻止する鍔部とを備えて構成しているので、工具をベルトに装着したり取り外したりしやすく、工具を装着した際、外力を受けても落下しにくい。このため、持ち運びしやすく安全性を向上させることができる。
【発明を実施するための最良の形態】
【００１４】
安全で持ち運びしやすくするという目的を、ベルト側に装着自在な吊り下げ保持具と、工具側に取り付けられる係合具とにより工具吊り下げ構造を構成し、吊り下げ保持具を、ベルトに装着される差し込み部と、差し込み部上端から外側に向かって延びる延長部と、この延長部に連続し下方に延びるとともに次第に狭まり係合具を下方に導く案内部と、この案内部下端に形成された開口部と、この開口部に連続し湾曲して形成された掛止部とを備えて構成するとともに、係合具を、開口部を通過可能な短い寸法を有する短寸幅部とこの短寸幅部より長い寸法を有し開口部を通過できない長寸幅部とを有し、上記掛止部に上方から差し入れられて揺動自在に支持される断面非円形状係止部材と、掛止部の湾曲面より大きく形成されて係止部材に取り付けられ、掛止部に横方向で当接し係止部材が掛止部から脱落するのを阻止する鍔部とを備えて構成したことにより実現した。
【実施例１】
【００１５】
以下、図面に示す実施例により本発明を説明する。図１および図２はそれぞれ、本発明の第１の実施例に係る工具吊り下げ構造を示す正面図および側面図である。本実施例に係る工具吊り下げ構造２は、図１に示すように、身につけるベルト３（図３参照）と身体側との間に差し込んで装着される吊り下げ保持具４と、充電式電動工具（電動ドリルや電動ドライバ、以下工具と称す。）６側に取り付けられ、吊り下げ保持具４に吊り下げられる係合具５とを備えて構成される。
【００１６】
吊り下げ保持具４は、図４の（Ａ）、（Ｂ）に示すように、折曲された棒材又はプレートにより構成される。吊り下げ保持具４は、上方が開いたＶ字状に形成され、ベルト３と身体側のズボンとの間に差し入れられる差し込み部４Ａと、この差し込み部４Ａ上端から外側に向かって傾斜して延びる延長部４Ｂと、この延長部４Ｂに連続し下方に延びるとともに次第に狭まる案内部４Ｃと、案内部４Ｃ下端に形成された開口部４Ｄと、この開口部４Ｄに連続して下方で閉じられ、開口幅より長寸の湾曲径で湾曲して形成される湾曲部（掛止部）４Ｅとを備えている。案内部４Ｃは係合具５が上方から導かれると、係合具５を開口部４Ｄに導くようになっている。係合具５は、開口部４Ｄを通って湾曲部４Ｅに差し入れられると、湾曲部４Ｅにより揺動自在に支持されるようになっている。吊り下げ保持具４は、差し込み部４Ａがベルト３と身体側のズボンとの間に挟み入れられると、ベルト３と身体側とで挟持され、湾曲部４Ｅが延長部４Ｂ分外側に飛び出た状態で保持されるようになっている。差し込み部４Ａには、ベルトストッパ９が設けられ、差し込み部４Ａがベルト３と身体側のズボンとの間に挟み入れられた後、吊り下げ保持具４が外力により上方に持ち上げられると、ベルトストッパ９がベルト３の下面に当接するようになっている。このため、吊り下げ保持具４は不意に下方から外力が加えられても、ベルト３から脱落しにくくなっている。吊り下げ保持具４を取り外す際には、差し込み部４Ａを手で押さえ、ベルトストッパ９がベルト３に干渉しないようにして取り外すようになっている。吊り下げ保持具４は、上方に引き抜く際、ベルトストッパ９とベルト３との干渉を解くと容易にベルト３から外れるようになっている。
【００１７】
係合具５は、図５の（Ａ）、（Ｂ）に示すように、断面楕円状に形成された軸（係止部材）１０とこの軸１０の両端面に取り付けられた円形状鍔部１１、１２とを備えている。この軸１０は、短軸部１０Ａが開口部４Ｄを通過可能な短軸寸法Ｌ１を有し、長軸部１０Ｂが開口部４Ｄの開口幅より長寸の長軸寸法Ｌ２を有するとともに、長軸部両端１０Ｂ、１０Ｂが湾曲部４Ｅ内周に沿って変位するようになっている。鍔部１１、１２は、湾曲部４Ｅの湾曲径より大径に形成される。鍔部１１、１２の、軸１０側の面１１Ａ、１２Ａは球面状に形成される。軸１０とこの軸１０を挟む鍔部１１、１２とは、固定具１３により連結される。一方の鍔部１１には、工具６のバッテリ部７に取り付けられる取付部１４が形成される。取付部１４は一対のストリップ１４Ａ、１４Ｂとこのストリップ１４Ａ、１４Ｂの端部に形成された取付穴１４Ｃ、１４Ｄとを有している。係合具５はこれら取付穴１４Ｃ、１４Ｄを通じて取付具１５（図６参照）により工具６のバッテリ部７に取り付けられるようになっている。
【００１８】
係合具５の軸１０は、図６に示すように、係合具５が吊り下げ保持具４の湾曲部４Ｅに差し入れられ、工具６が自重により吊り下がった状態で、長寸方向（長軸部両端１０Ｂ−１０Ｂを通過する方向）が開口部４Ｄから逸れた位置に配置されるようになっている。また、吊り下げられた工具６が、図７の（Ａ）、（Ｂ）に示すように、持ち運び時に揺動しても、軸１０は長寸方向が開口部４Ｄから逸れた範囲で変位するように保たれる。そして、工具６の頭部８が、図１に示すように、垂直方向になったときのみ、長寸方向が開口部４Ｄに合致するようになっている。すなわち、工具６に取り付けられた係合具５を上方から適当な姿勢で吊り下げ保持具４の案内部４Ｃに導き、軸１０が案内部４Ｃに案内されて開口部４Ｄを通過する際に、工具６の頭部８を垂直にすると、軸１０は長寸方向が開口部４Ｄに合致する。その状態で工具６を下げると、軸１０は湾曲部４Ｅに差し入れられるようになっている。逆に工具６の頭部８を垂直にした状態で上方に引き上げられると、軸１０は湾曲部４Ｅから離脱するようになっている。
【００１９】
次に、上記第１の実施例に係る工具吊り下げ構造２の作用について説明する。上記実施例に係る工具吊り下げ構造２は、まず、吊り下げ保持具４の差し込み部４Ａを、ベルト３と身体側のズボンとの間に挟み入れ、吊り下げ保持具４をベルト３と身体側とにより保持する。このとき、吊り下げ保持具４の案内部４Ｃと湾曲部４Ｅは延長部４Ｂ分外側に飛び出た状態で保持されている。この状態の吊り下げ保持具４に、工具６を吊り下げる際には、係合具５を上方から適当な姿勢で吊り下げ保持具４の案内部４Ｃに導き、軸１０が案内部４Ｃに案内されて開口部４Ｄを通過する際に、工具６の頭部８を垂直にすると、軸１０は長寸方向が開口部４Ｄに合致するので、その状態で工具６を下げると、軸１０は湾曲部４Ｅに差し入れられ、工具６は係合具５を介して吊り下げ保持具４に吊り下げられる。このとき、湾曲径より大径の鍔部１１、１２が内外側から湾曲部４Ｅに向き合っているので、工具６は軸１０の軸線方向から脱落することがない。
【００２０】
工具６を吊り下げ保持具４に吊り下げた状態で運ぶ際、図７の（Ａ）、（Ｂ）に示すように、工具６は軸１０を中心に揺動する。このとき、軸１０は、長寸方向が開口部４Ｄから逸れた範囲で変位するように保たれるので、軸１０が湾曲部４Ｅから抜け出すことがなく、工具６が脱落することがない。また、このとき、工具６に外力が加わっても、工具６の揺動によりその衝撃が分散されるとともに、外力が直接身体に伝わることがない。また、軸１０は、長軸部両端１０Ｂ、１０Ｂ間の寸法Ｌ２が開口部４Ｄの幅より長寸の長軸寸法を有するとともに、長軸部両端１０Ｂ、１０Ｂが湾曲部４Ｅ内周に沿って変位するようになっているので、工具６をがたつきなく滑らかに揺動させることができる。
【００２１】
さらに、工具６が、図８に示すように、吊り下げ保持具４に静止状態で吊り下げられている際、下方から外力を受けても、軸１０が湾曲部４Ｅから抜け出すことがなく、工具６が外れる虞がない。また、係合具５は、工具６の所望の位置に取り付けることができるので、持ち運びし易い場所に取り付けることができ、工具６のバッテリ部など嵩張る部位をベルト３から遠ざけることができ、持ち運びしやすくなる。工具６を吊り下げ保持具４から外す際には、図８に示すような吊り下げ状態にある工具６を、軸１０を中心に回し、工具６の頭部８を垂直にすると、軸１０は長寸方向が開口部４Ｄに合致する。その状態で工具６を引き上げると、軸１０の短軸部１０Ａが開口部４Ｄを通過し、軸１０は湾曲部４Ｅから離脱する。こうして、係合具５と湾曲部４Ｅとの係合が解かれ、工具６は吊り下げ保持具４から外れるようになっている。吊り下げ保持具４は、上方に引き上げられると、ベルト３から外れるようになっている。このように、本実施例に係る工具吊り下げ構造２では、工具６の着脱を容易に行うことができるので作業性が向上する。また、工具６が落下しにくいので、安全性が向上する。さらに、外力を受けても直接身体に衝撃を与えることがないので、作業しやすい。
【実施例２】
【００２２】
図１１は、本発明の第２の実施例に係る工具吊り下げ構造２２を示すもので、この第２の実施例に係る工具吊り下げ構造２２では、上記第１の実施例が、吊り下げ保持具２を、棒材を折曲して構成しているのに対し、吊り下げ保持具２４を、中央に細孔２５が穿設されたプレート２６を折曲して形成した点が異なっている。また、この工具吊り下げ構造２２では、上記第１の実施例が、工具６に取り付けられる係合具５を、軸１０の両端に鍔部１１、１２を設けて構成しているのに対し、係合具３０を、１個の円皿状鍔部３１の両端にそれぞれ平面楕円状軸（係止部材）３２Ａ、３２Ｂを設けて構成し、一方の軸３２Ａの一端を工具６のバッテリ部７に取り付けている点が異なっている。
【００２３】
吊り下げ保持具２４は、図１１および図１２に示すように、プレート２６をＶ字状に上部を開いて形成し、平坦に形成された両上端部２７Ａ、２７Ｂと、これら上端部２７Ａ、２７Ｂの内側の辺から下方に延び、ベルト３と身体側のズボンとの間に差し入れられる差し込み部２８Ａ、２８Ｂと、上端部２７Ａ、２７Ｂに連続し、下方が次第に狭まるよう傾斜して形成された案内部２９Ａ、２９Ｂと、案内部２９Ａ、２９Ｂ下端に形成された開口部３５と、この開口部３５に連続して下方で閉じられ湾曲して形成された湾曲部（掛止部）３６とを備えている。案内部２９Ａ、２９Ｂは係合具３０が上方から導かれると、係合具３０の軸３２Ａ、３２Ｂを開口部３５に導くようになっている。軸３２Ａ、３２Ｂは、開口部３５を通って湾曲部３６に差し入れられると、湾曲部３６により揺動自在に支持されるようになっている。吊り下げ保持具２４は、細孔２５とプレート２６の内側端部との間に所定の幅寸法が確保され、係合具３０が円滑に導き入れられるようになっている。吊り下げ保持具２４は、差し込み部２８Ａ、２８Ｂがベルト３と身体側のズボンとの間に挟み入れられると、ベルト３と身体側とで挟持され、上方に引き抜くと容易にベルト３から外れるようになっている。
【００２４】
上記第２の実施例に係る工具吊り下げ構造２２では、上述のように構成されているので、まず、吊り下げ保持具２４の差し込み部２８Ａ、２８Ｂを、ベルト３と身体側のズボンとの間に挟み入れ、吊り下げ保持具２４をベルト３と身体側とにより保持する。この状態の吊り下げ保持具２４に工具６を吊り下げる際には、係合具３０を上方から適当な姿勢で吊り下げ保持具２４の案内部２９Ａ、２９Ｂに導き、鍔部３１を細孔２５に差し入れ、軸３２Ａ、３２Ｂが案内部２９Ａ、２９Ｂに案内されて開口部３５を通過する際に、工具６の頭部８を垂直にすると、軸３２Ａ、３２Ｂは長寸方向が開口部３５に合致するので、その状態で工具６を下げると、軸３２Ａ、３２Ｂは湾曲部３６に差し入れられ、工具６は係合具３０を介して吊り下げ保持具２４に吊り下げられる。このとき、湾曲径より大径の鍔部３１が細孔２５に落ち込んだ状態で、軸３２Ａ、３２Ｂが湾曲部３６内周面上を摺動するようになっているので、工具６は軸３２Ａ、３２Ｂの軸線方向から脱落することがない。
【００２５】
工具６を吊り下げ保持具２４に吊り下げた状態で運ぶ際、工具６は軸３２Ａ、３２Ｂを中心に揺動する。このとき、軸３２Ａ、３２Ｂ１０は、長寸方向が開口部３５から逸れた範囲で変位するように保たれるので、軸３２Ａ、３２Ｂが湾曲部３６から抜け出すことがなく、工具６が脱落することがない。また、このとき、工具６に外力が加わっても、工具６の揺動によりその衝撃が分散されるとともに、外力が直接身体に伝わることがない。また、軸３２Ａ、３２Ｂは、長軸部両端間の寸法が開口部３５の幅より長寸の長軸寸法を有するとともに、長軸部両端が湾曲部３６内周に沿って変位するようになっているので、工具６をがたつきなく滑らかに揺動させることができる。
【００２６】
なお、上記各実施例に係る工具吊り下げ構造２、２２では、鍔部１１、１２を、球面状の吸盤形状に形成したり、鍔部３１を円皿状に形成しているが、これらに限られるものではなく、例えば、図９の（Ａ）に示されるように、球体の一部を切り取った平面円形状や、図９の（Ｂ）、（Ｃ）に示されるように、平面三角状や四角状の多角形状に形成したり、図９の（Ｄ）、（Ｅ）に示されるように、曲面に形成してもよいことはいうまでもない。この場合、軸側の面を球面としてもよいし、平面としてもよい。また、上記各実施例に係る工具吊り下げ構造２、２２では、軸１０、３２Ａ、３２Ｂを、図５および図１１にそれぞれ示すように断面楕円状に形成しているが、これに限られるものではなく、例えば、図１０の（Ａ）〜（Ｅ）に示すように、断面長円状、断面三角形状、断面両端円弧の矩形状、断面五角形状及び断面六角形状とし、開口部４Ｄを通可能な部位と、開口部４Ｄを通過不能な部位とを有する形状であればよいことはいうまでもない。
【図面の簡単な説明】
【００２７】
【図１】本発明の第１の実施例に係る工具吊り下げ構造を示す正面図である。（実施例１）
【図２】図１の工具吊り下げ構造の側面図である。
【図３】図１の工具吊り下げ構造の使用状態を示す説明図である。
【図４】（Ａ）、（Ｂ）はそれぞれ、図１の吊り下げ保持具を示す正面図および側面図である。
【図５】（Ａ）、（Ｂ）はそれぞれ、図１の係合具を示す側面図および正面図である。
【図６】（Ａ）、（Ｂ）はそれぞれ、工具を吊り下げ保持具に装着した状態を示す説明図である。
【図７】（Ａ）、（Ｂ）はそれぞれ、工具を吊り下げ保持具に吊り下げた状態で揺動する状態を示す説明図である。
【図８】工具が吊り下げ保持具に静止状態で吊り下げられた状態で下方から外力を受ける状態を示す説明図である。
【図９】（Ａ）ないし（Ｃ）はそれぞれ、鍔部の変形例を示す説明図である。
【図１０】（Ａ）ないし（Ｅ）はそれぞれ、軸の変形例を示す説明図である。
【図１１】本発明の第２の実施例に係る工具吊り下げ構造を示す斜視図である。（実施例２）
【図１２】図１１の吊り下げ保持具と係合具とを示す平面図である。
【符号の説明】
【００２８】
２  工具吊り下げ構造
３  ベルト
４  吊り下げ保持具
４Ａ  差し込み部
４Ｂ  延長部
４Ｃ  案内部
４Ｄ  開口部
４Ｅ  湾曲部（掛止部）
５  係合具
１０Ａ  短軸部（短寸幅部）
１０Ｂ  長軸部（長寸幅部）
１０  軸（係止部材）
１１、１２  鍔部
【図１】
0004419987.tif 000002
【図２】
0004419987.tif 000003
【図３】
0004419987.tif 000004
【図４】
0004419987.tif 000005
【図５】
0004419987.tif 000006
【図６】
0004419987.tif 000007
【図７】
0004419987.tif 000008
【図８】
0004419987.tif 000009
【図９】
0004419987.tif 000010
【図１０】
0004419987.tif 000011
【図１１】
0004419987.tif 000012
【図１２】
0004419987.tif 000013